(57)【要約】      （修正有）【課題】日々煩わしい排尿を快適に、失敗なく何回でも可能となる男性用の排尿幇助具を提供する。【解決手段】二つの同一形状のゴムリングをこのゴムリングとほぼ同一直径の布製円筒の両筒先の開口部の周縁において被覆縫製固定して布で被覆した入口６と出口７を形成させこの入口６と出口７との間の布製円筒はゴムリングを被覆縫製固定した糸目５の作用により布に歪みを生じ蛇腹胴状の筒状布部８となって伸縮するようになされている事を特徴とする男性用排尿幇助具。【選択図】図３
0003152549.tif 000002
【実用新案登録請求の範囲】
【請求項１】
二つの同一形状のゴムリング（４，４）をこのゴムリングとほぼ同一直径の布製円筒（１）の両筒先の開口部（２）（３）の周縁において被覆縫製固定して布で被覆した入口（６）と出口（７）を形成させこの入口（６）と出口（７）との間の布製円筒（１）はゴムリング（４，４）を被覆縫製固定した糸目（５）の作用により布に歪みを生じ蛇腹胴状の筒状布部（８）となって伸縮するようになされている事を特徴とする男性用排尿幇助具。
【考案の詳細な説明】
【技術分野】
【０００１】本考案は、トンネル筒状に布を縫合し、両筒先の開口部に、円形状のゴムリングを、一本ずつ、計二本、縫合固定している、布製円筒に、関するものです。
【背景技術】
【０００２】従来、人間の下半身の悩みを語るには、男性諸兄は、変に、誇り高く、沽券に関わる事と思いこみ、この分野に関する話題は、タブー視されている、人間生理学上、尿漏れ、尿チビリ、地球上の生物、動物、にとっては、当り前の話であるのに、憚られている、特に、男性下着は、女性下着の如く細やかな配慮が、皆無の状況にある事も一因と思う。
【考案の概要】
【考案が解決しようとする課題】
【０００３】本考案は、男性下着に関するものです、人類が二足歩行を始めた事により、腰痛、脊椎痛の、宿命を人間は背負わされた、それの防御には、冬期、春秋期、重ね着、厚着は必要です、夏期にも汗まみれで、ベタつく事もあり、クーラー利きすぎ防御に厚着で悩み、その様な時に役立つ物として考案した、更には今日の現状を見ると，益々老齢人口の増加、何等かの事情や、望まぬ事件、事故で、障害、負傷した人や、老齢による陰茎の退化委縮、前立線肥大症患者の悩みは、増加の一途、排尿量は少しだが、トイレの回数は普通人の、三、四倍になる、その他にも、多忙職場では中座不可能者、オートメイション工員、学業や学科試験の連続で切羽詰まった生徒等、外勤専門職場員等は、昔日の様に、立ち小用の許されない、現代社会に於いては各々が、我慢の限界状態に遭遇しても、自由、任意に、排尿機会の全く無い人達の僅かな機会に、迅速、対応、幇助具として考案した、そこに至るまでの勘案経過を述べます、人体はマネキン人形の如く、左右対称均等に綺麗にバランス良く纏っていない、肉体労働者、片方半身側のみ酷使する仕事、スポーツ鍛練等による片方成長する体、普通人でも自己の体を精査してみれば、芯になる人体にも一因があることが解ります、それらの各場面に対する配慮は、男性下着メーカー全てが結集して下着開口穴を、ストレート貫通する様に統一、製造加工への対応は無理があり難しい、厚着、重ね着をすると、小用に際しての、陰茎取り出し開口穴の、不一致さに怒りさえ覚える場面に合う、毎朝の着衣時に、重ね着下着の開口穴を、きっちりと丁寧に揃えておいても、人は動く、働く生物だから、ずれる、捻じれる、歪む、捲れるのは当然です、男性下着陰茎取り出し開口部穴は、上下左右への可動の余裕が幾分かあるものの、厚着、重ね着をした時、前立腺肥大障害、身体障害者等には、間髪一秒が待てない、陰茎を探し出すのに、余計に掛る分秒は、切迫時の際に対応出来なく、度々失敗する時もある、陰茎が、折れ曲がり捻じれて、ストレートにならず、尿道が圧迫されて、排尿が正面に出なくて、左右、横っちょへ飛び散るか、トギレトギレ断続的にしか排尿できず、果ては、床に滴り落ちる原因になる、人は運動する、行動する、日常生活動態を、止める事もならず、更に現今の複雑に開発進歩した、繊維生地材質が、各々こすれ合い密着摩擦帯電により、静電気が発生し思わぬ位置で、開口穴が、歪み、ずれたまま密着する、静電気除去スプレーをしても、その効果は短く、長時間の効果は期待できない、その上各メーカー界には製造コストの面で、布地材の、無駄のない効率的利用理由で、型取り裁断時に、布地の性格を勘案せずに、縦切、横切り、斜め切りする、縫製方法やデザインの自由さもあって、下着開口穴は不揃いとなり、バラバラになり簡単にひきつれ移動する、以上の各点が起因となり不一致となるのは当然の帰結となる、本考案は、以上の各欠点を補う効果がある、相乗効果もこれにより生まれる、この考案品を用いることで、安易に尿漏れパンツ、尿漏れパット等に、頼る風潮に流される事なく、誇り高く日々を過ごせる、何よりも、処理に困る大量の紙、化学物資、ゴミの、発生が減少し、省資源、省エネ、地球に優しいＥＣＯ効果にもなる。
【課題を解決するための手段】
【０００４】二つの同一形状のゴムリング（４，４）をこのゴムリングとほぼ同一直径の布製円筒（１）の両筒先の開口部（２）（３）の周縁において被覆縫製固定して布で被覆した入口（６）と出口（７）を形成させこの入口（６）と出口（７）との間の布製円筒（１）はゴムリング（４，４）を被覆縫製固定した糸目（５）の作用により布に歪みを生じ蛇腹胴状の筒状布部（８）となって伸縮するようになされている事を特徴とする男性用排尿幇助具。
【考案の効果】
【０００５】人類共通の悩みである、証しでもある必要不可欠の、日々煩わしい排尿仕事を如何に、快適に、失敗なく何回でも、迅速に、出し入れ可能となるので日常生活を平穏に過ごせる。
【考案を実施するための形態】
【実施例】
【０００６】以下図面を用いて実施例を説明すると、男性下着を、厚着、重ね着する時に気づく事は、陰茎取り出し開口穴が、直列、真っ直ぐにならず、不一致が当たり前でした、厚着、重ね着を、必要とするシーズンの日常生活時に、直接肌に付ける一枚目の開口穴に、「図３」の（６）を、くぐらせ、直接肌に突き当てる、つまり、一枚目下着の内側に突き出し、朝顔開花状に開いて、刀剣の鍔止効果をさせるため、手指で広げて落ち着かせる、（７）に、二枚目三枚目の、開口穴をくぐらせ（８）に、四枚全部の開口穴を落ち着かせて挟み込み、四枚目肌着の最外側へ（７）を、確実に露出させ、朝顔開花状に開いて、刀剣の鍔止め効果をさせるため、手指で広げて落ち着かせると、いくら重ね着厚着しても本考案品を使えば、より早く、排尿行為可能、陰茎出し入れ可能、布製円筒が貫通筒としての役目をする、この外見形状はズン胴状であり、例え、（６）（７）が、肌側、露出側、逆装着しても何等支障ない、又、大切な陰茎は、下着繊維類及び、開口穴縫製部分の締まり具合により、守られる、実施例品については、ゴムリング布製円筒共に直径８センチ、ゴムリングの横断面直径４ミリの太さの物を用いた、（８）の蛇腹胴状の布製円筒部分、入口（６）と出口（７）との間の寸法は、３センチ、確保した、これは入口（６）と出口（７）の両筒端を抓み拡げた時の寸法である、この蛇腹胴状は強制工作でなく布の歪みによるものである、各々の寸法は、人種、体格、その他の事情に応じて変えればよい、本実施例は上記寸法としたが固定化しない。
【産業上の利用可能性】
【０００７】これを考案した発端は、今まさに社会現象の多忙時代、高齢、老齢社会、障害者自立、煩わしい前立腺肥大症等で悩んでいる、それ等に準ずる人達に向けて、考案したものです。バリバリの健常者には、不要のものです、又、人間は自動車の如く、一定規格、寸法、デザインで均一に、作られていない、故に、厳格な寸法の特定、固定化はせず、考案品を使用する際も、デリケートな個所なので、蒸れない、湿気ない、通気性の良い、安価な材料は、木綿布、等なら、腰が強く、相当回数の洗濯に耐えられる、現今の先進的技術布地は高コストとなるが、条件は満たしている、高周波、高熱、接着工程等を用いると、簡易に量産体制に適す、昨今流行の、男性下着のカラー化に、合わせる考慮も必要になります。
【図面の簡単な説明】
【０００８】以下図面綴りに従って説明します、その詳細説明箇所には、（  ）内に、アラビア数字を付号として説明をするが、全文にわたり指呼するアラビア数字番号は共通しています、
【図１】本考案で用いる布製円筒を示す説明図。
【図２】本考案で用いるゴムリングを示す説明図。
【図３】本考案の実施の一例を示す説明図。
【符号の簡単な説明】
【０００９】  １    布製円筒
２    開口部
３    開口部
４    ゴムリング
５    縫い糸
６    入口
７    出口
８    筒状布部
【図１】
0003152549.tif 000003
【図２】
0003152549.tif 000004
【図３】
0003152549.tif 000005